(57)【要約】【課題】  ＧＲＥトンネルを使用する際にＩＰアドレスの枯渇や操作性の問題を回避し、管理性の簡易化を図ることが可能なサーバ装置を提供する。【解決手段】  サーバ装置（１）は、波長分割多重伝送システムを管理し、パケットに対してカプセル化を実施した後にＩＰルーティングテーブルを参照して当該パケットの転送を行うレイヤ３転送方式を用いるＧＲＥ  ｏｖｅｒ  ＯＳＰＦ機能を提供する。サーバ装置（１）は、ＧＲＥ  ｏｖｅｒ  ＯＳＰＦ機能におけるカプセル化方式に、ＡＲＰテーブルを参照して直接インタフェースを指定して転送するレイヤ２転送方式を追加し、ＧＲＥトンネルカプセル化を実施した場合の転送方式としてレイヤ３転送方式とレイヤ２転送方式とのいずれかを選択する選択手段（ＧＲＥトンネル管理モジュール１１）を有する。【選択図】      図１
2010278585.tif 000002
【特許請求の範囲】
【請求項１】
波長分割多重伝送システムを管理し、パケットに対してカプセル化を実施した後にＩＰ（Ｉｎｔｅｒｎｅｔ  Ｐｒｏｔｏｃｏｌ）ルーティングテーブルを参照して当該パケットの転送を行うレイヤ３転送方式を用いるＧＲＥ（Ｇｅｎｅｒｉｃ  Ｒｏｕｔｉｎｇ  Ｅｎｃａｐｓｕｌａｔｉｏｎ）  ｏｖｅｒ  ＯＳＰＦ（Ｏｐｅｎ  Ｓｈｏｒｔｅｓｔ  Ｐａｔｈ  Ｆｉｒｓｔ）機能を提供するサーバ装置であって、
前記ＧＲＥ  ｏｖｅｒ  ＯＳＰＦ機能におけるカプセル化方式に、ＡＲＰ（Ａｄｄｒｅｓｓ  Ｒｅｓｏｌｕｔｉｏｎ  Ｐｒｏｔｏｃｏｌ）テーブルを参照して直接インタフェースを指定して転送するレイヤ２転送方式を追加し、
ＧＲＥトンネルカプセル化を実施した場合の転送方式として前記レイヤ３転送方式と前記レイヤ２転送方式とのいずれかを選択する選択手段を有することを特徴とするサーバ装置。
【請求項２】
登録済みのモジュールもしくはプロトコル単位にて前記レイヤ２転送方式または前記レイヤ３転送方式でパケットの転送を実施することを特徴とする請求項１記載のサーバ装置。
【請求項３】
前記登録済みのモジュールかどうかを専用のプリミティブヘッダにて確認し、前記登録済みのプロトコルをＩＰヘッダのプロトコル番号にて確認することを特徴とする請求項２記載のサーバ装置。
前記は、
【請求項４】
前記選択手段にてモジュール単位にて使用するパケットに対して前記レイヤ２転送方式と前記レイヤ３転送方式とのいずれかを選択した後に、当該パケットのＧＲＥトンネルカプセル化を実施することを特徴とする請求項１から請求項３のいずれか記載のサーバ装置。
【請求項５】
前記波長分割多重伝送システムの監視を行うためのＮＭＳ（Ｎｅｔｗｏｒｋ  Ｍａｎａｇｅｍｅｎｔ  Ｓｙｓｔｅｍ）サーバ装置であることを特徴とする請求項１から請求項４のいずれか記載のサーバ装置。
【請求項６】
上記の請求項１から請求項５のいずれかに記載のサーバ装置を含むことを特徴とする伝送システム。
【請求項７】
波長分割多重伝送システムを管理し、パケットに対してカプセル化を実施した後にＩＰ（Ｉｎｔｅｒｎｅｔ  Ｐｒｏｔｏｃｏｌ）ルーティングテーブルを参照して当該パケットの転送を行うレイヤ３転送方式を用いるＧＲＥ（Ｇｅｎｅｒｉｃ  Ｒｏｕｔｉｎｇ  Ｅｎｃａｐｓｕｌａｔｉｏｎ）  ｏｖｅｒ  ＯＳＰＦ（Ｏｐｅｎ  Ｓｈｏｒｔｅｓｔ  Ｐａｔｈ  Ｆｉｒｓｔ）機能を提供するサーバ装置に用いるＧＲＥカプセル化転送方法であって、
前記ＧＲＥ  ｏｖｅｒ  ＯＳＰＦ機能におけるカプセル化方式に、ＡＲＰ（Ａｄｄｒｅｓｓ  Ｒｅｓｏｌｕｔｉｏｎ  Ｐｒｏｔｏｃｏｌ）テーブルを参照して直接インタフェースを指定して転送するレイヤ２転送方式を追加し、
前記サーバ装置が、ＧＲＥトンネルカプセル化を実施した場合の転送方式として前記レイヤ３転送方式と前記レイヤ２転送方式とのいずれかを選択する選択処理を実行することを特徴とするＧＲＥカプセル化転送方法。
【請求項８】
前記サーバ装置が、登録済みのモジュールもしくはプロトコル単位にて前記レイヤ２転送方式または前記レイヤ３転送方式でパケットの転送を実施することを特徴とする請求項７記載のＧＲＥカプセル化転送方法。
【請求項９】
前記サーバ装置が、前記登録済みのモジュールかどうかを専用のプリミティブヘッダにて確認し、前記登録済みのプロトコルをＩＰヘッダのプロトコル番号にて確認することを特徴とする請求項８記載のＧＲＥカプセル化転送方法。
前記は、
【請求項１０】
前記サーバ装置が、前記選択処理にてモジュール単位にて使用するパケットに対して前記レイヤ２転送方式と前記レイヤ３転送方式とのいずれかを選択した後に、当該パケットのＧＲＥトンネルカプセル化を実施することを特徴とする請求項７から請求項９のいずれか記載のＧＲＥカプセル化転送方法。
【請求項１１】
前記サーバ装置が、前記波長分割多重伝送システムの監視を行うためのＮＭＳ（Ｎｅｔｗｏｒｋ  Ｍａｎａｇｅｍｅｎｔ  Ｓｙｓｔｅｍ）サーバ装置であることを特徴とする請求項７から請求項１０のいずれか記載のＧＲＥカプセル化転送方法。
【発明の詳細な説明】
【技術分野】
【０００１】
本発明はサーバ装置、伝送システム及びそれらに用いるＧＲＥカプセル化転送方法に関し、特に波長分割多重伝送システムの監視を行うためのＮＭＳ（Ｎｅｔｗｏｒｋ  Ｍａｎａｇｅｍｅｎｔ  Ｓｙｓｔｅｍ）サーバ装置におけるＧＲＥ（Ｇｅｎｅｒｉｃ  Ｒｏｕｔｉｎｇ  Ｅｎｃａｐｓｕｌａｔｉｏｎ）カプセル化転送方法に関する。
【背景技術】
【０００２】
本発明に関連するＮＭＳサーバ装置について、図７に示す伝送システムを参照して説明する。図７において、管理ネットワーク１００内のＮＭＳサーバ装置２１，２２は、一般網２００のスイッチ装置２３を介してネットワーク３０１，３０２内のネットワーク機器２４〜２７に接続されている。
【０００３】
ＮＭＳサーバ装置２１，２２は、波長分割多重伝送システム（例えば、ネットワーク３０１内のネットワーク機器２４）の監視をＩＰ（Ｉｎｔｅｒｎｅｔ  Ｐｒｏｔｏｃｏｌ）トンネリング（ＧＲＥ）［Ｌ３（Ｌａｙｅｒ  ３）転送方式］にて行っている。
【０００４】
ここで、ＧＲＥトンネルは、ＩＯネットワーク上に仮想的なポイントツーポイントリンクを作ることができ、ＧＲＥトンネルの両端のルータにおいて、１ホップで直接接続されているように使用することができる。また、ＧＲＥトンネルには、ＩＰアドレスを振ってダイナミックルーティングプロトコルを通すこともできる。尚、ＧＲＥについては、以下の非特許文献１，２に開示されている。
【先行技術文献】
【非特許文献】
【０００５】
【非特許文献１】“Ｇｅｎｅｒｉｃ  Ｒｏｕｔｉｎｇ  Ｅｎｃａｐｓｕｌａｔｉｏｎ（ＧＲＥ）”［ＲＦＣ（Ｒｅｑｕｅｓｔ  Ｆｏｒ  Ｃｏｍｍｅｎｔｓ）１７０５，Ｏｃｔｂｅｒ  １９９４］
【非特許文献２】“Ｇｅｎｅｒｉｃ  Ｒｏｕｔｉｎｇ  Ｅｎｃａｐｓｕｌａｔｉｏｎ（ＧＲＥ）”（ＲＦＣ２７８４，Ｍａｒｃｈ  ２０００）
【発明の概要】
【発明が解決しようとする課題】
【０００６】
しかしながら、本発明に関連する波長分割多重伝送システムの監視では、通常、監視を行うネットワークにおいて、監視エリアと一般エリアとが混在することがあるという課題がある。
【０００７】
監視エリアと一般エリアとが混在するネットワークでは、監視情報を一般エリアに公開しないために、ＯＳＩ（Ｏｐｅｎ  Ｓｙｓｔｅｍｓ  Ｉｎｔｅｒｃｏｎｎｅｃｔｉｏｎ）プロトコルを使用する方法と、ＩＰトンネリング（ＧＲＥ）を使用する方法とがある。但し、ＯＳＩプロトコルは、今後あまり使用されない経緯があり、ＩＰトンネリングが使用されている。
【０００８】
また、本発明に関連する波長分割多重伝送システムの監視では、ＧＲＥトンネルを使用するにあたり、ＩＰアドレスを新たに追加しなければいけないため、ＩＰアドレスの枯渇や、オペレータにとっての複雑な管理（ＩＰアドレスの管理）、設定（ＧＲＥトンネルの設定）等を回避する必要がある。
【０００９】
そこで、本発明の目的は上記の問題点を解消し、ＧＲＥトンネルを使用する際にＩＰアドレスの枯渇や操作性の問題を回避し、管理性の簡易化を図ることができるサーバ装置、伝送システム及びそれらに用いるＧＲＥカプセル化転送方法を提供することにある。
【課題を解決するための手段】
【００１０】
本発明によるサーバ装置は、波長分割多重伝送システムを管理し、パケットに対してカプセル化を実施した後にＩＰ（Ｉｎｔｅｒｎｅｔ  Ｐｒｏｔｏｃｏｌ）ルーティングテーブルを参照して当該パケットの転送を行うレイヤ３転送方式を用いるＧＲＥ（Ｇｅｎｅｒｉｃ  Ｒｏｕｔｉｎｇ  Ｅｎｃａｐｓｕｌａｔｉｏｎ）  ｏｖｅｒ  ＯＳＰＦ（Ｏｐｅｎ  Ｓｈｏｒｔｅｓｔ  Ｐａｔｈ  Ｆｉｒｓｔ）機能を提供するサーバ装置であって、
前記ＧＲＥ  ｏｖｅｒ  ＯＳＰＦ機能におけるカプセル化方式に、ＡＲＰ（Ａｄｄｒｅｓｓ  Ｒｅｓｏｌｕｔｉｏｎ  Ｐｒｏｔｏｃｏｌ）テーブルを参照して直接インタフェースを指定して転送するレイヤ２転送方式を追加し、
ＧＲＥトンネルカプセル化を実施した場合の転送方式として前記レイヤ３転送方式と前記レイヤ２転送方式とのいずれかを選択する選択手段を備えている。
【００１１】
本発明による伝送システムは、上記のサーバ装置を含むことを特徴とする。
【００１２】
本発明によるＧＲＥカプセル化転送方法は、波長分割多重伝送システムを管理し、パケットに対してカプセル化を実施した後にＩＰ（Ｉｎｔｅｒｎｅｔ  Ｐｒｏｔｏｃｏｌ）ルーティングテーブルを参照して当該パケットの転送を行うレイヤ３転送方式を用いるＧＲＥ（Ｇｅｎｅｒｉｃ  Ｒｏｕｔｉｎｇ  Ｅｎｃａｐｓｕｌａｔｉｏｎ）  ｏｖｅｒ  ＯＳＰＦ（Ｏｐｅｎ  Ｓｈｏｒｔｅｓｔ  Ｐａｔｈ  Ｆｉｒｓｔ）機能を提供するサーバ装置に用いるＧＲＥカプセル化転送方法であって、
前記ＧＲＥ  ｏｖｅｒ  ＯＳＰＦ機能におけるカプセル化方式に、ＡＲＰ（Ａｄｄｒｅｓｓ  Ｒｅｓｏｌｕｔｉｏｎ  Ｐｒｏｔｏｃｏｌ）テーブルを参照して直接インタフェースを指定して転送するレイヤ２転送方式を追加し、
前記サーバ装置が、ＧＲＥトンネルカプセル化を実施した場合の転送方式として前記レイヤ３転送方式と前記レイヤ２転送方式とのいずれかを選択する選択処理を実行する
【発明の効果】
【００１３】
本発明は、上記のような構成及び動作とすることで、ＧＲＥトンネルを使用する際にＩＰアドレスの枯渇や操作性の問題を回避し、管理性の簡易化を図ることができるという効果が得られる。
【図面の簡単な説明】
【００１４】
【図１】本発明の第１の実施の形態によるＮＭＳサーバ装置の構成例を示すブロック図である。
【図２】本発明の第１の実施の形態によるＮＭＳサーバ装置の構成例を示すブロック図である。
【図３】図１及び図２に示すＧＲＥトンネル管理モジュールでのカプセル化処理を示すフローチャートである。
【図４】本発明の第１の実施の形態によるＬ２転送方式を選択した場合の処理を示すシーケンスチャートである。
【図５】本発明の第１の実施の形態によるＬ３転送方式を選択した場合の処理を示すシーケンスチャートである。
【図６】本発明の第１の実施の形態によるＮＭＳサーバ装置の構成例を示すブロック図である。
【図７】本発明に関連するＧＲＥトンネル構築ネットワークの構成例を示すブロック図である。
【発明を実施するための形態】
【００１５】
次に、本発明の実施の形態について図面を参照して説明する。まず、本発明によるＮＭＳ（Ｎｅｔｗｏｒｋ  Ｍａｎａｇｅｍｅｎｔ  Ｓｙｓｔｅｍ）サーバ装置の概要について説明する。
【００１６】
本発明によるＮＭＳサーバ装置は、波長分割多重伝送システムを管理し、ＧＲＥ（Ｇｅｎｅｒｉｃ  Ｒｏｕｔｉｎｇ  Ｅｎｃａｐｓｕｌａｔｉｏｎ）  ｏｖｅｒ  ＯＳＰＦ（Ｏｐｅｎ  Ｓｈｏｒｔｅｓｔ  Ｐａｔｈ  Ｆｉｒｓｔ）機能を提供している。
【００１７】
ＧＲＥ  ｏｖｅｒ  ＯＳＰＦ機能におけるカプセル化方式においては、カプセル化を実施した後、ＩＰ（Ｉｎｔｅｒｎｅｔ  Ｐｒｏｔｏｃｏｌ）モジュール（ＯＳ：Ｏｐｅｒａｔｉｎｇ  Ｓｙｓｔｅｍ）にパケットを転送する（ＩＰモジュールはＩＰルーティングテーブルを参照して転送を行う）方式［Ｌ３（Ｌａｙｅｒ  ３）転送方式］が一般である。
【００１８】
本発明によるＮＭＳサーバ装置では、上記のＧＲＥ  ｏｖｅｒ  ＯＳＰＦ機能に、ＡＲＰ（Ａｄｄｒｅｓｓ  Ｒｅｓｏｌｕｔｉｏｎ  Ｐｒｏｔｏｃｏｌ）テーブルを参照して転送する［Ｌ２（Ｌａｙｅｒ  ２）転送方式］を追加している。
【００１９】
これによって、本発明によるＮＭＳサーバ装置では、ＧＲＥトンネルカプセル化を実施した場合の転送方式としてＬ２転送方式とＬ３転送方式とのいずれかを選択することができる。Ｌ２転送方式を選択する場合は、新たなＩＰアドレスを付与しなくともよい。
【００２０】
つまり、本発明によるＮＭＳサーバ装置では、モジュール単位にて使用するパケットを、Ｌ２転送方式とＬ３転送方式とのいずれかを選択した後に、カプセル化を実施している。
【００２１】
ＧＲＥは、トンネルプロトコルの一つで、トンネル内を別プロトコルで伝送することを実現する。トンネル内を通過するパケット（トラフィック）に対しては、トンネル用のインタフェースを通過させ、カプセル化を行い、別プロトコルとして伝送する。
【００２２】
そのために、本発明によるＮＭＳサーバ装置では、
ａ）トンネル用インタフェース用の新たなＩＰアドレス
ｂ）デリバリ用（カプセル化実施用）ＩＰアドレス
が必要となる。
【００２３】
通常、ＧＲＥトンネルでは、トンネルインタフェースとデリバリ用のＩＰアドレスとがそれぞれ必要とされる。それに対して、本発明で選択可能となったＬ２転送方式では、上記のａ）及びｂ）で使用するＩＰアドレスを同一とすることができる。
【００２４】
この場合、同一のＩＰアドレスを使用してしまうと、カプセル化したパケットの宛先がルーティングテーブル上で一致してしまうため、無限ループが発生してしまう。しかしながら、Ｌ２転送方式では、ルーティングテーブルを介さないため、無限ループが発生するという問題を回避することができる。
【００２５】
また、本発明によるＮＭＳサーバ装置では、Ｌ２転送方式を選択することにより、ＩＰアドレス追加が不要となるため、ＩＰアドレスの枯渇を解消することができる。
【００２６】
さらに、本発明は、上述したＧＲＥ  ｏｖｅｒ  ＯＳＰＦ機能を搭載するＮＭＳサーバ装置上で使用する物理インタフェースのＩＰアドレスを使用することにより、新たなＩＰアドレスを使用しない。
【００２７】
ＧＲＥトンネル機能では、以下に示す手順にてトンネルインタフェースを生成する。また、ＧＲＥトンネル機能を有効にするにあたり、以下のような設定が必要になる。
【００２８】
・トンネルインターフェースＩＰアドレス：インタフェースに付与するＩＰアドレスになる。ＧＲＥトンネルでは、１対１でトンネルを構築するため、
○宛先アドレス（Ｄｅｓｔｉｎａｔｉｏｎ）
○送信元アドレス（Ｓｏｕｒｃｅ）
というアドレスを設定する必要がある。
【００２９】
・デリバリヘッダＩＰアドレス：ＧＲＥトンネルカプセル化対象のパケットをカプセル化する際に使用するアドレス、つまり
○宛先アドレス（Ｄｅｓｔｉｎａｔｉｏｎ）
○送信元アドレス（Ｓｏｕｒｃｅ）
というアドレスが必要になる。
【００３０】
ＮＭＳサーバ装置と波長分割多重伝送システムとの間でトンネルを構築する手順は、
ａ）対向波長分割多重伝送システムを選択する
ｂ）トンネルインタフェースとデリバリヘッダＩＰアドレスとを決定する
ｃ）トンネルインタフェースにて指定した宛先アドレスと送信元アドレスとがルーティングテーブルに登録される
ｄ）Ｌ３転送方式とＬ２転送方式とのいずれかを選択し、カプセル化を実施した後に転送する
という手順となる。
【００３１】
また、本発明は、ＧＲＥトンネルに使用するトンネルインタフェース用ＩＰアドレスと、通常パケットの転送ではＩＰモジュール（ＯＳ）を介するが、ＩＰモジュールを介さず直接インタフェースを指定して転送するＲＡＷ（生）ソケット転送方式を導入する。
【００３２】
本発明は、上述したように、ＧＲＥトンネルカプセル化を実施した場合に転送方式（Ｌ２転送方式またはＬ３転送方式）を選択すること、Ｌ２転送方式を選択する場合に新たなＩＰアドレスを付与しなくともよいことを実現することができ、この特徴によりＧＲＥトンネルを使用する際にＩＰアドレスの枯渇や操作性、管理性の簡易化を提供することができる。
【００３３】
図１及び図２は本発明の第１の実施の形態によるＮＭＳサーバ装置の構成例を示すブロック図である。図１はＧＲＥカプセル化（Ｌ３転送方式）のＧＲＥトンネル構築例を示し、図２はＧＲＥカプセル化（Ｌ２転送方式）のＧＲＥトンネル構築例を示している。
【００３４】
図１及び図２において、本発明の第１の実施の形態によるＮＭＳサーバ装置１は、ＧＲＥトンネル管理モジュール１１と、ＮＭＳ監視モジュール１２と、ＯＳＰＦモジュール１３と、ＩＰモジュール１４と、ルーティングテーブル１５と、論理Ｉ／Ｆ（インタフェース）（ＧＲＥ）１６と、物理Ｉ／Ｆ１７とを備えている。
【００３５】
図１において、ＯＳＰＦモジュール１３は、ＩＰモジュール１４に対してＯＳＰＦパケットを送信する［図１の（１）参照］。ＩＰモジュール１４は、ルーティングテーブル１５を参照し、ＯＳＰＦパケットをトンネルインタフェース（論理Ｉ／Ｆ１６）に転送する。
【００３６】
ＧＲＥトンネル管理モジュール１１は、トンネルインタフェース（論理Ｉ／Ｆ１６）から転送されるＯＳＰＦパケットを受信し、Ｌ２転送方式またはＬ３転送方式のいずれを選択するかを判定する。この場合、ＧＲＥトンネル管理モジュール１１は、ＯＳＰＦパケットであるのでＬ３転送方式を選択し、ＯＳＰＦパケットをカプセル化し［図１の（２）参照］、カプセル化したパケットをＩＰモジュール１４に転送する。
【００３７】
ＩＰモジュール１４は、ルーティングテーブル１５を参照し、カプセル化したパケットを適切なインタフェース（物理Ｉ／Ｆ１７）に転送する。
【００３８】
図２において、ＮＭＳ監視モジュール１２は、ＩＰモジュール１４に対して波長分割多重伝送システムの監視パケットを送信する［図２の（１）参照］。ＩＰモジュール１４は、ルーティングテーブル１５を参照し、監視パケットをトンネルインタフェース（論理Ｉ／Ｆ１６）に転送する。
【００３９】
ＧＲＥトンネル管理モジュール１１は、トンネルインタフェース（論理Ｉ／Ｆ１６）から転送される監視パケットを受信し、Ｌ２転送方式またはＬ３転送方式のいずれを選択するかを判定する。この場合、ＧＲＥトンネル管理モジュール１１は、監視パケットであるのでＬ２転送方式を選択し、監視パケットをカプセル化し［図２の（２）参照］、カプセル化したパケットを、ＩＰモジュール１４を介さずに、指定されたインタフェース（物理Ｉ／Ｆ１７）から直接転送する。
【００４０】
図３は図１及び図２に示すＧＲＥトンネル管理モジュール１１でのカプセル化処理を示すフローチャートであり、図４は本発明の第１の実施の形態によるＬ２転送方式を選択した場合の処理を示すシーケンスチャートであり、図５は本発明の第１の実施の形態によるＬ３転送方式を選択した場合の処理を示すシーケンスチャートである。これら図１〜図５を参照して本発明の第１の実施の形態によるＬ２転送方式またはＬ３転送方式を選択した場合の処理について説明する。
【００４１】
ＮＭＳ監視モジュール１２は、ＩＰモジュール１４に対して波長分割多重伝送システムの監視パケットを送信する［図２の（１）参照］（図４のａ１）。ＩＰモジュール１４は、ルーティングテーブル１５を参照し、監視パケットをトンネルインタフェース（論理Ｉ／Ｆ１６）に転送する。
【００４２】
ＧＲＥトンネル管理モジュール１１は、トンネルインタフェース（論理Ｉ／Ｆ１６）から転送される監視パケットを受信し（図４のａ２）、Ｌ２転送方式またはＬ３転送方式のいずれを選択するかを判定する（図４のａ３）。
【００４３】
ＧＲＥトンネル管理モジュール１１は、カプセル化処理を行う場合、カプセル化対象パケットをトンネルインタフェース（論理Ｉ／Ｆ１６）から受信すると（図３ステップＳ１）、パケットの宛先アドレスからデリバリヘッダアドレスを決定し（図３ステップＳ２）、カプセル化を実施する［図２の（２）参照］（図３ステップＳ３）。
【００４４】
その際、ＧＲＥトンネル管理モジュール１１は、生成されているＧＲＥトンネルインタフェースが、Ｌ２転送方式またはＬ３転送方式で登録されているかをチェックする（図３ステップＳ４）。Ｌ２専用もしくはＬ３専用の場合は、Ｌ２転送用のパケットを受信しても破棄する。
【００４５】
ＧＲＥトンネル管理モジュール１１は、登録済みのモジュールもしくはプロトコル単位にてＬ２転送方式またはＬ３転送方式で転送を実施する。ＧＲＥトンネル管理モジュール１１は、Ｌ２転送方式の場合（図３ステップＳ５）、使用する物理Ｉ／Ｆ１７を確認し（図３ステップＳ８）、ＲＡＷソケットを生成し、指定された物理Ｉ／Ｆ１７に直接転送する（図３ステップＳ９）（図４のａ４）。
【００４６】
尚、ＧＲＥトンネル管理モジュール１１では、登録されていないパケットを破棄する。また、ＧＲＥトンネル管理モジュール１１では、登録済みかどうかを、ａ）登録済みのモジュールかどうかは、専用のプリミティブヘッダにて確認
ｂ）プロトコルは、ＩＰヘッダのプロトコル番号にて確認
を経て判別する。
【００４７】
一方、ＯＳＰＦモジュール１３がＩＰモジュール１４に対してＯＳＰＦパケットを送信した場合［図１の（１）参照］（図５のｂ１）、ＩＰモジュール１４は、ルーティングテーブル１５を参照し、ＯＳＰＦパケットをトンネルインタフェース（論理Ｉ／Ｆ１６）に転送する。
【００４８】
ＧＲＥトンネル管理モジュール１１は、トンネルインタフェース（論理Ｉ／Ｆ１６）から転送される監視パケットを受信し（図５のｂ２）、Ｌ２転送方式またはＬ３転送方式のいずれを選択するかを判定する（図５のｂ３）。
【００４９】
ＧＲＥトンネル管理モジュール１１は、カプセル化処理を行う場合、カプセル化対象パケットをトンネルインタフェース（論理Ｉ／Ｆ１６）から受信すると（図３ステップＳ１）、パケットの宛先アドレスからデリバリヘッダアドレスを決定し（図３ステップＳ２）、カプセル化を実施する［図１の（２）参照］（図３ステップＳ３）。
【００５０】
ＧＲＥトンネル管理モジュール１１は、生成されているＧＲＥトンネルインタフェースが、Ｌ２転送方式またはＬ３転送方式で登録されているかをチェックする（図３ステップＳ４）。Ｌ２専用もしくはＬ３専用の場合は、Ｌ２転送用のパケットを受信しても破棄する。
【００５１】
ＧＲＥトンネル管理モジュール１１は、登録済みのモジュールもしくはプロトコル単位にてＬ２転送方式またはＬ３転送方式で転送を実施する。ＧＲＥトンネル管理モジュール１１は、Ｌ３転送方式の場合（図３ステップＳ５）、カプセル化したパケットをＩＰモジュール１４（ＩＰプロトコル層）へ転送し（図３ステップＳ６）（図５のｂ４）、ＩＰモジュール１４（ＩＰプロトコル層）にてルーティングテーブル１５を参照して対象の物理Ｉ／Ｆ１７に転送する（図３ステップＳ７）（図５のｂ５）。
【００５２】
図６は本発明の第１の実施の形態によるＮＭＳサーバ装置の構成例を示すブロック図である。図６はＧＲＥカプセル化の解除の一例を示している。以下、図６を参照して本発明の第１の実施の形態によるＧＲＥカプセル化の解除について説明する。
【００５３】
物理Ｉ／Ｆ１７は、ＧＲＥパケットを受信すると［図６の（１）参照］、そのパケットをＩＰモジュール１４に転送する。ＩＰモジュール１４は、そのパケットのプロトコル番号を確認し、ＧＲＥパケットの場合、そのＧＲＥパケットをＧＲＥ管理モジュール１１に転送する。
【００５４】
ＧＲＥ管理モジュール１１では、そのＧＲＥパケットのカプセル化を解除し［図６の（２）参照］、ＩＰモジュール１４に対して生のパケットを論理Ｉ／Ｆ１６を介して転送する。ＩＰモジュール１４では、そのパケットを対応したモジュール（ＮＭＳ監視モジュール１２またはＯＳＰＦモジュール１３）に対して配送する。
【００５５】
このように、本実施の形態では、ネットワークの環境、使用したいアプリケーション（ユーザプロセス）によって、ＧＲＥカプセル化の転送方式（Ｌ２転送方式またはＬ３転送方式）を選択することができる。
【００５６】
また、本実施の形態では、Ｌ２転送方式を使用することにより、新たにＩＰアドレスを付与する必要がなくなり、ＩＰアドレスの枯渇を回避することができる。よって、本実施の形態では、ＧＲＥトンネルを使用する際にＩＰアドレスの枯渇や操作性の問題を回避し、管理性の簡易化を図ることができる。
【００５７】
尚、図示していないが、本発明は、図７に示す波長分割多重伝送システムの監視に適用することが可能である。
【符号の説明】
【００５８】
１  ＮＭＳサーバ装置
１１  ＧＲＥトンネル管理モジュール
１２  ＮＭＳ監視モジュール
１３  ＯＳＰＦモジュール
１４  ＩＰモジュール
１５  ルーティングテーブル
１６  論理Ｉ／Ｆ
１７  物理Ｉ／Ｆ
【図１】
2010278585.tif 000003
【図２】
2010278585.tif 000004
【図３】
2010278585.tif 000005
【図４】
2010278585.tif 000006
【図５】
2010278585.tif 000007
【図６】
2010278585.tif 000008
【図７】
2010278585.tif 000009